(57)【要約】    【課題】  便器洗浄水供給装置に設けた手動弁の操作性を向上させること。    【解決手段】  本発明では、給水源に接続した一次側水路と便器に接続した二次側水路とを装置本体に形成し、これらの一次側水路と二次側水路との間にパイロット作動式の開閉弁を配設して、一次側水路と開閉弁の背圧室とを連通連結するとともに、背圧室と二次側水路とをパイロット水路で連通連結し、このパイロット水路にパイロット圧を変動させるための電磁弁及び手動弁を配設した便器洗浄水供給装置において、前記手動弁は、前記パイロット水路と二次側水路とを連通する連通孔の二次側水路側に弁体を開閉可能に配設した。  特に、前記パイロット水路を前記装置本体の内部に一体的に形成するとともに、前記開閉弁に隣接させて形成し、前記パイロット水路の上部側に前記電磁弁を配設した。【選択図】      図１
2005290851.tif 000002
【特許請求の範囲】
【請求項１】
給水源に接続した一次側水路と便器に接続した二次側水路とを装置本体に形成し、これらの一次側水路と二次側水路との間にパイロット作動式の開閉弁を配設して、一次側水路と開閉弁の背圧室とを連通連結するとともに、背圧室と二次側水路とをパイロット水路で連通連結し、このパイロット水路にパイロット圧を変動させるための電磁弁及び手動弁を配設した便器洗浄水供給装置において、
前記手動弁は、前記パイロット水路と二次側水路とを連通する連通孔の二次側水路側に弁体を開閉可能に配設したことを特徴とする便器洗浄水供給装置。
【請求項２】
前記パイロット水路を前記装置本体の内部に一体的に形成したことを特徴とする請求項１に記載の便器洗浄水供給装置。
【請求項３】
前記パイロット水路の前記一次水路側に電磁弁、その下流側に手動弁を配置したことを特徴とする請求項１又は請求項２に記載の便器洗浄水供給装置。
【請求項４】
前記電磁弁は、鉛直方向に駆動するアクチュエータを具備することを特徴とする請求項３に記載の便器洗浄水供給装置。
【発明の詳細な説明】
【技術分野】
【０００１】
本発明は、水道管から供給される水を便器に洗浄水として供給する便器洗浄水供給装置に関するものである。
【背景技術】
【０００２】
従来より、水道管と便器との間には、水道管から供給される水を便器に洗浄水として供給するための便器洗浄水供給装置が設けられている（特許文献１参照。）。
【０００３】
この便器洗浄水供給装置は、水道管に接続した一次側水路と便器に接続した二次側水路とを装置本体に形成し、これらの一次側水路と二次側水路との間にパイロット作動式の開閉弁を配設して、一次側水路と開閉弁の背圧室とを連通連結するとともに、背圧室と二次側水路とをパイロット水路で連通連結し、このパイロット水路にパイロット圧を変動させるための電磁弁及び手動弁を配設し、この電磁弁にコントローラを接続し、このコントローラに人体検出センサーを接続している。
【０００４】
そして、便器洗浄水供給装置は、次のようにして水道管から供給された水を便器へ供給するようにしている。
【０００５】
まず、電磁弁及び手動弁が閉塞された状態では、水道管から一次側水路を介して供給された水によって開閉弁の背圧室に水圧がかかる一方、二次側水路は大気に開放されているため、背圧室の方が二次側水路よりも圧力が高くなり、この圧力差の作用で開閉弁が閉塞されている。
【０００６】
次に、人体検出センサーによって使用者が便器から離座したことを検出すると、コントローラが電磁弁を開放するように制御し、これによって、パイロット水路を介して背圧室から二次側水路に水が流れ込み、背圧室と二次側水路との圧力差が減少し、それに伴って、開閉弁が開放され、水圧によって一次側水路から二次側水路へと水が一気に流れ込み、二次側水路から便器に水が供給される。
【０００７】
また、上記便器洗浄水供給装置では、停電や故障などによって電磁弁が自動的に開放されなかった場合には、手動弁を操作することによっても水を供給することができるようになっている。
【０００８】
この場合も、上記同様、手動弁の開放操作によってパイロット水路を介して背圧室から二次側水路に水が流れ込み、一次側水路と二次側水路との圧力差が減少し、それに伴って、開閉弁が開放され、水圧によって一次側水路から二次側水路へと水が一気に流れ込み、二次側水路から便器に水が供給される。
【０００９】
この従来の便器洗浄水供給装置では、手動弁を止水時に一次側水路と同圧となるパイロット水路内で弁体が開閉動作するように配設されており、しかも、装置本体の外部に取付けた連通管でパイロット水路を形成していた。
【００１０】
また、従来の便器洗浄水供給装置では、パイロット水路の上部側に手動弁を配置し、パイロット水路の下部側に電磁弁を配置していた。
【特許文献１】実公平８−３４９０号公報
【発明の開示】
【発明が解決しようとする課題】
【００１１】
ところが、従来の便器洗浄水供給装置にあっては、手動弁をパイロット水路の一次側水路側で弁体が開閉動作するように配設されていたために、手動弁を開放操作する際には、一次側水路にかかる水圧に抗して手動弁を操作しなければならず、操作力が大きくなって操作性が悪くなるおそれがあった。
【００１２】
また、従来の便器洗浄水供給装置にあっては、パイロット水路を構成する連通管を装置本体の外部に取付けていたため、小型化が困難であり、部品点数の増加に伴って組立作業性が低減し製造コストが増大するおそれがあった。
【００１３】
さらに、従来の便器洗浄水供給装置にあっては、パイロット水路の下部側に頻繁に使用される電磁弁を配設していたために、電磁弁の開閉時に生じる気泡を円滑に外部に排出することができず、電磁弁の開閉動作が円滑に行えなくなるおそれがあった。
【課題を解決するための手段】
【００１４】
そこで、請求項１に係る本発明では、給水源に接続した一次側水路と便器に接続した二次側水路とを装置本体に形成し、これらの一次側水路と二次側水路との間にパイロット作動式の開閉弁を配設して、一次側水路と開閉弁の背圧室とを連通連結するとともに、背圧室と二次側水路とをパイロット水路で連通連結し、このパイロット水路にパイロット圧を変動させるための電磁弁及び手動弁を配設した便器洗浄水供給装置において、前記手動弁は、前記パイロット水路と二次側水路とを連通する連通孔の二次側水路側に弁体を開閉可能に配設することにした。
【００１５】
また、請求項２に係る本発明では、前記請求項１に係る本発明において、前記パイロット水路を前記装置本体の内部に一体的に形成することにした。
【００１６】
また、請求項３に係る本発明では、前記請求項１又は請求項２のいずれかに係る本発明において、前記パイロット水路の前記一次水路側に電磁弁、その下流側に手動弁を配置することにした。
【００１７】
また、請求項４に係る本発明では、前記請求項３に係る本発明において、前記電磁弁は、鉛直方向に駆動するアクチュエータを具備することにした。
【発明の効果】
【００１８】
そして、本発明では、以下に記載する効果を奏する。
【００１９】
すなわち、請求項１に係る本発明では、給水源に接続した一次側水路と便器に接続した二次側水路とを装置本体に形成し、これらの一次側水路と二次側水路との間にパイロット作動式の開閉弁を配設して、一次側水路と開閉弁の背圧室とを連通連結するとともに、背圧室と二次側水路とをパイロット水路で連通連結し、このパイロット水路にパイロット圧を変動させるための電磁弁及び手動弁を配設した便器洗浄水供給装置において、前記手動弁は、前記パイロット水路と二次側水路とを連通する連通孔の二次側水路側に弁体を開閉可能に配設しているために、大気に開放された二次側水路の圧力に抗して手動弁を開放操作すればよくなり、手動弁の開放操作に要する操作力を低減させることができ、手動弁の操作性を向上させることができる。
【００２０】
また、請求項２に係る本発明では、パイロット水路を装置本体の内部に一体的に形成しているために、装置本体の外部に連通管を接続する必要がなくなり、便器洗浄水供給装置の小型化を図ることができるとともに、部品点数の減少により組立作業性の向上や便器洗浄水供給装置の低廉化を図ることができる。
【００２１】
また、請求項３に係る本発明では、パイロット水路の一次水路側に電磁弁、その下流側に手動弁を配置しているために、頻繁に開閉される電磁弁によって一次側水路から流入した気泡を円滑に外部に排出することができる。
【００２２】
また、請求項４に係る本発明では、電磁弁のアクチュエータを鉛直方向に駆動するようにしているために、電磁弁に一次側水路から流入した気泡をより一層円滑に外部に排出することができる。
【発明を実施するための最良の形態】
【００２３】
以下に、本発明に係る便器洗浄水供給装置の具体的な構造について図面を参照しながら説明する。
【００２４】
便器洗浄水供給装置１は、図１に示すように、給水源としての水道管に接続された給水管２と便器に接続された洗浄水供給管３との間に介設され、水道管から供給された水を便器に洗浄水として供給するようにしている。
【００２５】
この便器洗浄水供給装置１は、図１及び図２に示すように、中空状のケーシング４の内側上部に人体検出センサー５と制御装置６と電池７とを配設するとともに、ケーシング４の内側下部に装置本体８を配設している。
【００２６】
装置本体８は、左側上部に給水管２と接続する入水管９を接続するとともに、下部に洗浄水供給管３をバキュームブレーカ10を介して接続している。
【００２７】
また、装置本体８は、内側上部に給水管２を介して水道管と連通する一次側水路11を形成する一方、内側下部に洗浄水供給管３を介して便器と連通する二次側水路12を形成しており、この二次側水路12の中途部には水流を利用して発電を行う発電ユニット13を配設し、この発電ユニット13を制御装置６に接続している。
【００２８】
そして、装置本体８は、一次側水路11と二次側水路12との間にパイロット作動式の開閉弁14を上下方向に向けて開閉可能に配設し、この開閉弁14の上方に背圧室14aを形成し、この背圧室14aと一次側水路11とを開閉弁14に形成したブリード孔14bを介して連通連結する一方、背圧室14aと二次側水路12とを開閉弁14に隣接させて形成したパイロット水路15で連通連結している。
【００２９】
このパイロット水路15は、図１、図３及び図４に示すように、開閉弁14の上部に形成された背圧室14aに一次側パイロット水路16を連通孔17を介して連通連結し、この一次側パイロット水路16に装置本体８の前側に一体的に形成した連通パイロット水路18を連通連結している。
【００３０】
そして、パイロット水路15は、一次側パイロット水路16と二次側水路12との間に制御装置６で開閉制御されることでパイロット圧を変動させる電磁弁20を介設するとともに、連通パイロット水路18と二次側水路12との間に手動操作されることでパイロット圧を変動させる手動弁21を介設している。
【００３１】
すなわち、便器洗浄水供給装置１は、装置本体８の上部に形成した一次側パイロット水路16と装置本体８の右側前部に形成した連通パイロット水路18とでパイロット水路15を構成するとともに、装置本体８の内部であって、かつ開閉弁14と隣接させた位置にパイロット水路15を装置本体８と一体的に形成し、このパイロット水路15の上部側の一次側パイロット水路16に電磁弁20を配設し、パイロット水路15の下部側の連通パイロット水路18に手動弁21を配設している。
【００３２】
この電磁弁20は、装置本体８の右側上部に形成した開口部22に中心軸を上下方向に向けた状態で挿入して取付けられており、装置本体８の一次側パイロット水路16の右端部と二次側水路12の上端部との間に連通孔23を形成し、この連通孔23の周囲に環状の弁座24を形成し、この弁座24に弁体25を接離自在に配設し、この弁体25に上下方向へ向けて進退移動するアクチュエータ26を連動連結している。
【００３３】
一方、手動弁21は、装置本体８の右側部に形成した開口部27に中心軸を左右方向に向けた状態で挿入して取付けられており、装置本体８の連通パイロット水路18の下端部と二次側水路12の中途部との間に連通孔28を形成し、この連通孔28に円筒状のホルダー29を挿通し、このホルダー29の先端部に環状の弁座30を形成し、この弁座30の先端側に円板上の弁体31を接離自在に配設し、この弁体31に略円柱状の操作スイッチ32の先端に取付けている。
【００３４】
また、手動弁21は、操作スイッチ32の先端側に小径筒部33を形成するとともに、この小径筒部33の周囲に滞留室34を形成し、一方、ホルダー29に連通パイロット水路18と滞留室34とを連通させる連通孔35を形成しており、さらに、操作スイッチ32の中途部とホルダー29の先端部との間に操作スイッチ32を介して弁体31を弁座30に付勢するバネ36を介設している。
【００３５】
したがって、手動弁21は、パイロット水路15と二次側水路12とを連通する連通孔28の二次側水路側に弁体31を開閉可能に配設している。
【００３６】
そして、手動弁21は、図５(a)に示すように、通常時には、弁体31が弁座30に当接して閉塞状態となっており、この閉塞状態では、給水管２から流れ込んだ水が背圧室14aから一次側パイロット水路16と連通パイロット水路18とを介して滞留室34に流れ込む。この閉塞状態では、弁体31が弁座30と当接するシート径とＯリング37のホルダー29に対する摺動径とがほぼ同一であるため、滞留室34に流れ込んだ水圧（背圧室14aの水圧）が図５(a)において左右方向に及ぼすお互いの圧力が相殺しあっている。
【００３７】
この閉塞状態から操作スイッチ32が押圧操作されると、図５(b)に示すように、弁体31が弁座30から離反して二次側水路12の方向へ移動し、滞留室34と二次側水路12とが連通されて、手動弁21が開放状態となる。
【００３８】
この開放状態では、給水管２から流れ込んだ水が背圧室14aから一次側パイロット水路16と連通パイロット水路18とを介して滞留室34に流れ、さらに、滞留室34から二次側水路12へと流れ込む。
【００３９】
その際には、弁体31の移動方向側である二次側水路12が大気開放状態となっているために、弁体31の移動を阻止するような圧力が弁体31の移動方向側にかかっておらず、バネ36の付勢力に抗して操作スイッチ32を押圧操作するだけで、手動弁21を開放状態とすることができる。
【００４０】
そして、手動弁21が開放状態となると、背圧室14aから二次側水路12に向けて少しずつ水が流れ、これによって、背圧室14aと二次側水路12との圧力差が減少し、背圧室14aの水圧で付勢されていた開閉弁14が開放され、一次側水路11から二次側水路12に向けて一気に水が流れ出る。
【００４１】
以上に説明したように、便器洗浄水供給装置１は、水道管に接続した一次側水路11と便器に接続した二次側水路12とを装置本体８に形成し、これらの一次側水路11と二次側水路12との間にパイロット作動式の開閉弁14を配設して、一次側水路11と開閉弁14の背圧室14aとを連通連結するとともに、背圧室14aと二次側水路12とをパイロット水路15で連通連結し、このパイロット水路15にパイロット圧を変動させるための電磁弁20及び手動弁21を配設している。
【００４２】
そして、便器洗浄水供給装置１は、パイロット水路15と二次側水路12とを連通する連通孔28の二次側水路側に手動弁21の弁体31を開閉可能に配設している。
【００４３】
そのため、便器洗浄水供給装置１は、大気に開放された二次側水路12の圧力（大気圧）に抗して手動弁21を開放操作すればよくなり、手動弁21の開放操作に要する操作力を低減させることができ、手動弁21の操作性を向上させることができる。
【００４４】
しかも、便器洗浄水供給装置１は、パイロット水路15を装置本体８の内部に一体的に形成しているために、装置本体８の外部に別途連通管を接続する必要がなくなり、便器洗浄水供給装置１の小型化を図ることができるとともに、部品点数の減少により組立作業性の向上や便器洗浄水供給装置１の低廉化を図ることができる。
【００４５】
また、便器洗浄水供給装置１は、パイロット水路15を開閉弁14に隣接させて形成しているために、便器洗浄水供給装置１の小型化を図ることができる。
【００４６】
さらに、便器洗浄水供給装置１は、パイロット水路15の一次水路側に電磁弁20、その下流側に手動弁21を配置しているために、頻繁に開閉される電磁弁20に一次側水路11から流入した気泡を円滑に外部に排出することができる。特に、電磁弁20のアクチュエータ26を鉛直方向に駆動するようにしているために、電磁弁20に一次側水路11から流入した気泡をより一層円滑に外部に排出することができる。
【００４７】
なお、本実施例では、左側から給水が行われる便器洗浄水供給装置１について説明したが、右側から給水が行われるものにも本発明を適用できる。
【図面の簡単な説明】
【００４８】
【図１】本発明に係る便器洗浄水供給装置を示す一部切欠正面断面図。
【図２】同側面図。
【図３】同平面断面図。
【図４】同側面断面図。
【図５】手動弁を示す側面断面図（(a)閉塞状態、(b)開放状態）。
【符号の説明】
【００４９】
１  便器洗浄水供給装置
２  給水管
３  洗浄水供給管
４  ケーシング
８  装置本体
９  入水管
11  一次側水路
12  二次側水路
14  開閉弁
14a  背圧室
15  パイロット水路
16  一次側パイロット水路
18  連通パイロット水路
20  電磁弁
21  手動弁
29  ホルダー
30  弁座
31  弁体
32  操作スイッチ
34  滞留室
35  連通孔
36  バネ
37  Ｏリング
【図１】
2005290851.tif 000003
【図２】
2005290851.tif 000004
【図３】
2005290851.tif 000005
【図４】
2005290851.tif 000006
【図５】
2005290851.tif 000007